(57)【要約】【課題】通信セルがオーバーラップした無線通信ネットワーク間の相互独立性を容易に確保する。【解決手段】付近で稼動中の多機能アクセスポイントＭＦ＿ＡＰ１は、ＳＳＩＤを含むビーコンを間欠的に発信している。ＭＦ＿ＡＰ２は、ＭＦ＿ＡＰ１の統括無線セル１１内で新たに起動しようとする場合、パッシブスキャンにより、周辺で使用中のＳＳＩＤ情報を収集する。すなわち、各チャネルのビーコンを受信し、ビーコン中に含まれるＳＳＩＤを入手する。所定の生成アルゴリズムを用いて、自身が統括するセル毎のＳＳＩＤを前回値と異なるように自動生成し、生成したＳＳＩＤと上記入手したＳＳＩＤとに重複がない場合は、生成したＳＳＩＤを、統括する無線セルのＳＳＩＤとして設定し起動する一方、重複がある場合は、付近のＳＳＩＤの収集処理、及びＳＳＩＤの自動再生成等の処理を再度行う。【選択図】      図４
2004193746.tif 000002
【特許請求の範囲】
【請求項１】
無線通信ネットワーク毎に設定されるシステム識別符号を用いて、通信端末装置と共に独立した無線通信ネットワークを構成する無線通信基地局であって、
他基地局からシステム識別符号が含まれた報知信号を受信する報知信号受信手段と、
前記報知信号受信手段により受信された報知信号中のシステム識別符号に基づいて、自基地局が統括する無線通信ネットワークを識別するためのシステム識別符号を設定する設定手段とを有することを特徴とする無線通信基地局。
【発明の詳細な説明】
【０００１】
【発明の属する技術の分野】
本発明は、無線通信ネットワーク毎に独立したシステム識別符号を付与して、相互独立性が担保される無線通信ネットワークを構築するための技術に関する。
【０００２】
【従来の技術】
従来、無線通信ネットワーク毎に設定されるシステム識別符号を用いて、通信端末装置と共に独立した無線通信ネットワークを構成する無線通信基地局が知られている。この基地局では、無線通信用の各種パラメータの設定に関し、周辺での無線通信ネットワークの利用状況を把握し、ユーザ或いはネットワーク管理者が、手動でシステム識別符号の設定を行っていた。
【０００３】
また、下記特許文献１に示すように、無線通信に利用するチャネルを、周辺状況から判断して自動設定するシステムも知られている。
【０００４】
【特許文献１】
特開２０００−１１１５７５号公報
【０００５】
【発明が解決しようとする課題】
しかしながら、上記従来の無線通信基地局では、システム識別符号の設定を、ユーザ或いはネットワーク管理者の判断のみによっているため、例えば、不注意により、通信セルがオーバーラップするような範囲内で稼動中の他の無線通信ネットワークで使用されているシステム識別符号と同一のシステム識別符号を、誤って自基地局に設定してしまう場合があり、そのような場合は、無線通信ネットワーク間の相互独立性が担保されない恐れがあった。
【０００６】
また、上記特許文献１のシステムでは、チャンネルの自動設定は行えるが、無線通信ネットワークを識別するためのシステム識別符号の自動設定は行えない。
【０００７】
本発明は上記従来技術の問題を解決するためになされたものであり、その目的は、通信セルがオーバーラップした無線通信ネットワーク間の相互独立性を容易に確保することができるようにすることにある。
【０００８】
【課題を解決するための手段】
上記目的を達成するために本発明の無線通信基地局は、無線通信ネットワーク毎に設定されるシステム識別符号を用いて、通信端末装置と共に独立した無線通信ネットワークを構成する無線通信基地局であって、他基地局からシステム識別符号が含まれた報知信号を受信する報知信号受信手段と、前記報知信号受信手段により受信された報知信号中のシステム識別符号に基づいて、自基地局が統括する無線通信ネットワークを識別するためのシステム識別符号を設定する設定手段とを有することを特徴とする。
【０００９】
【発明の実施の形態】
以下、本発明の実施の形態を図面を参照して説明する。
【００１０】
（第１の実施の形態）
図１は、本発明の第１の実施の形態に係る無線通信基地局を含んで構築される無線通信ネットワークの全体構成を示す図である。本無線通信ネットワークは、無線ＬＡＮ規格（ＩＥＥＥ８０２．１１ｂ）に従って構成される。
【００１１】
同図において、アクセスポイントＷＤＳ＿ＡＰは、無線広域網接続システムＷＤＳ（Ｗｉｒｅｌｅｓｓ  Ｄｉｓｔｒｉｂｕｔｉｏｎ  Ｓｙｓｔｅｍ）と基幹ＬＡＮであるＤＳ（Ｄｉｓｔｒｉｂｕｔｉｏｎ  Ｓｙｓｔｅｍ）４との接続を司る。無線通信基地局である多機能アクセスポイントＭＦ＿ＡＰ（Ｍｕｌｔｉ    Ｆｕｎｃｔｉｏｎ    Ａｃｃｅｓｓ    Ｐｏｉｎｔ）としては、多機能アクセスポイントＭＦ＿ＡＰ１、ＭＦ＿ＡＰ２が存在する。１０は、アクセスポイントＷＤＳ＿ＡＰが統括する無線セルを示す。１１は、多機能アクセスポイントＭＦ＿ＡＰ１の統括無線セルを示す。
【００１２】
本実施の形態では、無線通信ネットワークに無線ＬＡＮ規格（ＩＥＥＥ８０２．１１ｂ）を用いた環境で、且つ無線広域網接続システムＷＤＳで基幹ＬＡＮ（ＤＳ４）と接続される環境下で、統括無線通信セルを新たに形成する多機能アクセスポイントＭＦ＿ＡＰが、システム識別符号であるＳＳＩＤを自動設定するシステム識別符号自動設定方式の一例を説明する。本例では、多機能アクセスポイントＭＦ＿ＡＰ１が既に稼動中であり、多機能アクセスポイントＭＦ＿ＡＰ２が、多機能アクセスポイントＭＦ＿ＡＰ１の統括無線セル１１内で新たに起動しようとしている場合を想定する。
【００１３】
図２は、多機能アクセスポイントＭＦ＿ＡＰの機能構成を示すブロック図である。なお、多機能アクセスポイントＭＦ＿ＡＰはいずれも同様に構成される。
【００１４】
２０（１）〜２０（ｎ）は、各々通信セルを統括するための無線ＬＡＮユニット（１〜ｎ）（報知信号発信手段、報知信号受信手段）であり、少なくとも１つ設けられる。２１１、２１２は、データバス２１６との接続を司るスイッチコントローラである。ＣＰＵ２１３（識別符号生成手段、一致判別手段、識別符号設定手段）には、制御プログラムを格納するＲＯＭ２１４、ＲＡＭ２１５がデータバス２１６を介して接続されている。２２１は、ＷＤＳとの接続を行うための無線ＬＡＮユニット、２２２は、ＷＤＳを介さずに直接ＤＳ接続を行う際に使用される有線ＬＡＮユニットである。なお、ＷＤＳを利用しない場合は、無線ＬＡＮユニット２２１の実装は不要となる。
【００１５】
図３は、多機能アクセスポイントＭＦ＿ＡＰによるパッシブスキャンによるＳＳＩＤ情報入手処理の概念図である。図４は、多機能アクセスポイントＭＦ＿ＡＰにより実行されるパッシブスキャンによるＳＳＩＤ情報入手処理のフローチャートを示す図である。本処理は特に、多機能アクセスポイントＭＦ＿ＡＰ２が、起動する際に、多機能アクセスポイントＭＦ＿ＡＰ１から発信されるビーコン（報知信号）からＳＳＩＤを把握し、ＳＳＩＤの重複設定を回避する場合について例示する。
【００１６】
まず、図４において、新たに、多機能アクセスポイントＭＦ＿ＡＰ２が起動しようとする場合、ＷＤＳ接続用の無線ＬＡＮユニット２２１が実装済みか否かを判別する（ステップＳ４０１）。その判別の結果、無線ＬＡＮユニット２２１が実装済みである場合は、無線ＬＡＮユニット２２１をステーションＳＴＡ（端末）モードにセットし（ステップＳ４０２）、ステップＳ４０４に進む一方、実装済みでない場合は、少なくとも１つ以上接続される無線セル統括用無線ＬＡＮユニット２０（１）〜２０（ｎ）のうち、１つをステーションＳＴＡ（端末）モードにセット（ステップＳ４０３）して、前記ステップＳ４０４に進む。
【００１７】
ステップＳ４０４では、パッシブスキャンにより、周辺（多機能アクセスポイントＭＦ＿ＡＰ２の通信セルの範囲内）で使用中のＳＳＩＤ情報を収集する。すなわち、多機能アクセスポイントＭＦ＿ＡＰ２が利用可能なすべてのチャネルを各々、規定時間（ＩＥＥＥ８０２．１１規格のインフラストラクチャモードで規定されるビーコンの最大送出間隔以上の時間）受信する。そして、受信したビーコン中に含まれるＳＳＩＤを入手する。
【００１８】
図３で説明すると、まず、付近で稼動中の多機能アクセスポイントＭＦ＿ＡＰ１は、チャンネルｃｈ４を利用して、システム識別符号であるＳＳＩＤを含むビーコン（３０１〜３０４・・・）を間欠的に発信している。この状態で、多機能アクセスポイントＭＦ＿ＡＰ１の統括無線セル１１内で新たに起動しようとする多機能アクセスポイントＭＦ＿ＡＰ２が、チャンネルｃｈ１から順に、ビーコンの受信を所定時間を行う（３１１）。ビーコンが検出されない場合は、次のチャンネルでビーコンの受信を行う。本例では、チャンネルｃｈ４の受信時に、多機能アクセスポイントＭＦ＿ＡＰ１が間欠送信するビーコン（３０３、３０４）を受信することになる（３１２）。そして、多機能アクセスポイントＭＦ＿ＡＰ２は、受信したビーコン中に含まれる多機能アクセスポイントＭＦ＿ＡＰ１が使用中のＳＳＩＤを抽出することで、ＳＳＩＤを入手する。
【００１９】
図４に戻り、次に、ステップＳ４０５では、多機能アクセスポイントＭＦ＿ＡＰ２自身が統括するセル毎の無線ＬＡＮユニット２０で用いるＳＳＩＤを自動生成する。この自動生成したＳＳＩＤが、今後、利用予定となるＳＳＩＤである。そして、上記生成したＳＳＩＤと、上記入手した自己の周辺で使用中のＳＳＩＤとに重複があるか否かを判別する（ステップＳ４０６）。
【００２０】
その判別の結果、重複がない場合は、上記自動生成したＳＳＩＤを、自己が統括する無線セルのＳＳＩＤとして（自己が統括する無線通信ネットワークを識別するためのＳＳＩＤとして）設定し、多機能アクセスポイントＭＦ＿ＡＰ２を起動して（ステップＳ４０７）、本処理を終了する。これにより、ＳＳＩＤの重複が回避される。
【００２１】
一方、重複がある場合は、前記ステップＳ４０４に戻って、付近のＳＳＩＤの収集処理、及びＳＳＩＤの自動再生成等の処理を再度行う。
【００２２】
なお、前記ステップＳ４０５において、ＳＳＩＤを自動再生成する場合は、例えば、再生成の回数等を自動生成のためのパラメータに付加することで、再生成されたＳＳＩＤの値が前回の値と異なるような所定の生成アルゴリズムを用いる。これにより、自動再設定アルゴリズムが無限ループに陥らないようにすることができる。
【００２３】
本実施の形態によれば、無線セルがオーバーラップする範囲において、無線通信ネットワーク毎のＳＳＩＤの重複を自動的に検出し、ＳＳＩＤ再設定の際に、同じ結果の出ないような自動生成アルゴリズムを用いることで、周辺で稼動中の無線通信ネットワークで使用されているＳＳＩＤとは異なったＳＳＩＤを、ユーザに特別な意識を与えることなく、自動で設定することが可能となり、通信セルがオーバーラップした無線通信ネットワーク毎の相互独立性の担保を実現することが可能となる。よって、通信セルがオーバーラップした無線通信ネットワーク間の相互独立性を容易に確保することができる。
【００２４】
（第２の実施の形態）
次に、図２、図４〜図７を用いて本発明の第２の実施の形態を説明する。
【００２５】
図５は、本発明の第２の実施の形態に係る無線通信基地局を含んで構築される無線通信ネットワークの全体構成を示す図である。本無線通信ネットワークは、無線ＬＡＮ規格（ＩＥＥＥ８０２．１１ｂ）に従って構成される。同図において、第１の実施の形態と同一の要素には同一符号が付してある。１２は、多機能アクセスポイントＭＦ＿ＡＰ２が起動した場合の予想統括無線セルを示す。
【００２６】
本例では、多機能アクセスポイントＭＦ＿ＡＰ１が既に稼動中であり、多機能アクセスポイントＭＦ＿ＡＰ２が、多機能アクセスポイントＭＦ＿ＡＰ１の統括無線セル１１内ではなく、統括無線セル１１外で新たに起動しようとしている場合を想定する。また、無線ＬＡＮステーションＳＴＡ１（通信端末装置）は、予想統括無線セル１２内で且つ統括無線セル１１内に存在し、チャンネルｃｈ４を用いて多機能アクセスポイントＭＦ＿ＡＰ１とインフラストラクチャモードで通信しているものとする。
【００２７】
図５のような状態、すなわち、多機能アクセスポイントＭＦ＿ＡＰ１が起動しており、多機能アクセスポイントＭＦ＿ＡＰ２が未起動の状態で、仮に、多機能アクセスポイントＭＦ＿ＡＰ２が、第１の実施の形態において説明したような、パッシブスキャンによるＳＳＩＤ情報入手処理のみでＳＳＩＤを自動設定した場合、多機能アクセスポイントＭＦ＿ＡＰ２は、統括無線セル１１外にいるため、多機能アクセスポイントＭＦ＿ＡＰ１から送信されるビーコンを受信することができない。従って、多機能アクセスポイントＭＦ＿ＡＰ２は、多機能アクセスポイントＭＦ＿ＡＰ１と同一のＳＳＩＤを自動設定してしまう可能性がある。
【００２８】
しかも、無線ＬＡＮステーションＳＴＡ１は、予想統括無線セル１２と統括無線セル１１のオーバーラップ部分に存在するので、無線ＬＡＮステーションＳＴＡ１は、例えば、本来、多機能アクセスポイントＭＦ＿ＡＰ１側の無線通信ネットワークのみにアクセス可能となるべきところ、多機能アクセスポイントＭＦ＿ＡＰ２側の無線通信ネットワークにもアクセス可能となる等、予定外の無線通信ネットワークにアクセス可能となる可能性がある。
【００２９】
本第２の実施の形態では、これの対策として、第１の実施の形態におけるパッシブスキャンによるＳＳＩＤ情報入手処理によるＳＳＩＤの自動設定に加えて、アクティブスキャン結果をも用いたＳＳＩＤの自動設定処理を採用する。
【００３０】
図６は、多機能アクセスポイントＭＦ＿ＡＰによるアクティブスキャンによるＳＳＩＤ情報入手処理の概念図である。図７は、多機能アクセスポイントＭＦ＿ＡＰにより実行されるＳＳＩＤ情報入手処理のフローチャートを示す図である。本処理は特に、多機能アクセスポイントＭＦ＿ＡＰ２が、パッシブスキャンによりＳＳＩＤを自動設定し、さらにその後、アクティブスキャンを用いて必要に応じてＳＳＩＤを自動設定することで、ＳＳＩＤの重複設定を回避する場合について例示する。
【００３１】
まず、図７のステップＳ７０１では、図４のステップＳ４０１〜Ｓ４０６と同様の処理を実行する。そして、前記ステップＳ４０６の判別の結果、前記ステップＳ４０５で自動生成されたＳＳＩＤと前記ステップＳ４０４で入手したＳＳＩＤとに重複がない場合は、この時点で生成されているＳＳＩＤが、今後、利用予定となるＳＳＩＤとなる。
【００３２】
次に、多機能アクセスポイントＭＦ＿ＡＰ２が利用可能なチャンネルのうち未検索（後述するプローブ要求フレーム未送信）のチャンネルを監視対象として選択する（ステップＳ７０２）。そして、アクティブスキャンにより、周辺（多機能アクセスポイントＭＦ＿ＡＰ２の通信セルの範囲内）で使用中のＳＳＩＤ情報を収集する（ステップＳ７０３）。すなわち、上記監視対象のチャンネルにて、規定時間、連続してプローブ要求フレームを送信する。そして、それに応答して返送されるプローブ応答フレームに含まれるＳＳＩＤを入手する。
【００３３】
図６で説明すると、まず、付近で稼動中の多機能アクセスポイントＭＦ＿ＡＰ１は、チャンネルｃｈ４を利用して、ＳＳＩＤを含むビーコン（３０１、３０２・・・）を間欠的に発信している。
【００３４】
この状態で、無線ＬＡＮステーションＳＴＡ１は、ＩＥＥＥ８０２．１１規格のインフラストラクチャモードにて規定されるビーコン受信期間６０１でビーコンを受信し、同インフラストラクチャモードにて規定されるバッテリセーブ期間６０２で受信を中断することを繰り返す。無線ＬＡＮステーションＳＴＡ１が利用しているＳＳＩＤは、「○△×」であるとする。
【００３５】
一方、統括無線セル１１外で新たに起動しようとする多機能アクセスポイントＭＦ＿ＡＰ２は、上記監視対象として選択されているチャンネル（例えば、最初はチャンネルｃｈ１）にて、プローブ要求フレームを、規定時間（上記ビーコン受信期間６０１＋バッテリセーブ期間６０２）、規定最短間隔（ＤＩＦＳ）を空けながら連続送信する（６１（１）〜６１（ｎ）、６２（１）〜６２（ｎ））。本例では、上記プローブ要求フレームは、無線ＬＡＮステーションＳＴＡ１が利用しているＳＳＩＤと同一の「○△×」をセットしたフレームであるとする。
【００３６】
そして、プローブ要求フレームに対するプローブ応答フレームを監視し、プローブ応答フレームが検出されない場合は、次のチャンネルでプローブ応答フレームの監視を行う。
【００３７】
本例では、無線ＬＡＮステーションＳＴＡ１は、チャンネルｃｈ４を用いて多機能アクセスポイントＭＦ＿ＡＰ１と通信しているので、プローブ要求フレームが、ｃｈ４で送信された際に初めて、自己ネットワークグループ宛て（同一ＳＳＩＤ）のプローブ要求フレームを受信することになる。この場合、無線ＬＡＮステーションＳＴＡ１は、応答のための最短規定時間ＳＩＦＳ（ＳＩＦＳ≪ＤＩＦＳ）後に、プローブ応答フレーム（ＳＳＩＤに「○△×」をセットしたフレーム）を返送する（６３０）。
【００３８】
なお、多機能アクセスポイントＭＦ＿ＡＰ２は、連続送信の際に少なくともＤＩＦＳ期間のキャリアセンスを行っているため、ＳＩＦＳ期間で無線ＬＡＮステーションＳＴＡ１から返送されるプローブ応答フレーム（６３０）を、プローブ要求フレームの連続送信中でも受信可能である。
【００３９】
そして、多機能アクセスポイントＭＦ＿ＡＰ２は、プローブ応答フレームを受信し、プローブ応答フレーム中のＳＳＩＤを入手する。それにより、自己の至近に同一ＳＳＩＤが設定されている無線ＬＡＮステーションが存在することを認識し、現在、自己に自動生成されているＳＳＩＤが重複設定であることを認識することができる。
【００４０】
図７に戻り、現在自動生成されているＳＳＩＤと、上記プローブ応答フレームから入手したＳＳＩＤとに重複があるか否かを判別する（ステップＳ７０４）。その判別の結果、重複がある場合は、前記ステップＳ７０１に戻って、パッシブスキャン及びアクティブスキャンの再処理に移行する。
【００４１】
一方、現在自動生成されているＳＳＩＤと、上記プローブ応答フレームから入手したＳＳＩＤとに重複がない場合は、利用可能な全チャネルについてアクティブスキャンが完了したか否かを判別する（ステップＳ７０５）。その判別の結果、アクティブスキャンが完了していないチャンネルがある場合は、前記ステップＳ７０２に戻ってそのチャンネルについてのアクティブスキャンの処理に移行する。一方、利用可能な全チャネルについてアクティブスキャンが完了した場合は、上記現在自動生成されているＳＳＩＤを、自己が統括する無線セルのＳＳＩＤとして設定し、多機能アクセスポイントＭＦ＿ＡＰ２を起動して（ステップＳ７０６）、本処理を終了する。
【００４２】
本実施の形態によれば、多機能アクセスポイントＭＦ＿ＡＰ２が、多機能アクセスポイントＭＦ＿ＡＰ１の統括無線セル１１外で新たに起動しようとする場合であっても、アクティブスキャンにより、統括無線セル１０内且つ統括無線セル１１内に存在する無線ＬＡＮステーションＳＴＡ１からのプローブ応答フレームを受信することで、ＳＳＩＤの重複を知ることができ、重複していれば、再度パッシブスキャンからやり直すことで、ＳＳＩＤの重複を回避することができる。よって、第１の実施の形態に比し、ＳＳＩＤの重複をさらに高精度に自動的に検出することとなり、他の無線通信基地局の通信セル外に存在する無線通信基地局においても、通信セルがオーバーラップした無線通信ネットワーク間の相互独立性を容易に確保することができる。
【００４３】
なお、第１、第２の実施の形態において、無線ＬＡＮユニット２０で用いるＳＳＩＤを自動生成するようにしたが、これに限るものでなく、ユーザにより手動で設定されるように構成してもよい。その場合、図４のステップＳ４０６の判別の結果、生成したＳＳＩＤと、入手した自己の周辺で使用中のＳＳＩＤとに重複がある場合は、その旨を所定の警告表示等で警告すると共に、その重複しているＳＳＩＤを表示することで、異なるＳＳＩＤの入力を促すようにするのが望ましい。このようにすれば、ＳＳＩＤの重複検出を、ユーザによるシステム識別符号（ＳＳＩＤ）の変更（カスタマイズ）の際の妥当性チェックの処理に利用することができる。
【００４４】
なお、図４（または図７のステップＳ７０１）のパッシブスキャンによるＳＳＩＤ情報入手処理は、多機能アクセスポイントＭＦ＿ＡＰの起動時に実行される場合を例示したが、これに限るものでなく、例えば、ＳＳＩＤの自動または手動による変更操作時に実行されるようにしてもよい。
【００４５】
なお、無線通信媒体として無線ＬＡＮ（ＩＥＥＥ８０２．１１系システム）を例示したが、本発明は、これ以外のシステム識別符号を有する無線通信媒体（システムコードレスフォン等）に適用しても有効である。
【００４６】
なお、多機能アクセスポイントＭＦ＿ＡＰについては２つ、無線ＬＡＮステーションＳＴＡ１については１つが登場する場合を例示したが、それ以上が関与する場合も同様に本発明を適用可能である。
【００４７】
また、本発明の目的は、実施の形態の機能を実現するソフトウェアのプログラムコードを記録した記憶媒体を、システム或いは装置に供給し、そのシステムあるいは装置のコンピュータ（またはＣＰＵやＭＰＵ等）が記憶媒体に格納されたプログラムコードを読み出して実行することによっても達成される。
【００４８】
この場合、記憶媒体から読み出されたプログラムコード自体が前述した実施の形態の機能を実現することになり、そのプログラムコードを記憶した記憶媒体は本発明を構成することになる。
【００４９】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００５０】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００５２】
本発明の様々な例と実施例が示され説明されたが、当業者であれば、本発明の趣旨と範囲は本明細書の特定の説明と図に限定されるのではなく、本願特許請求の範囲にすべて述べられた様々の修正と変更に及ぶことが理解されるであろう。
【００５３】
本発明の実施態様の例を以下に列挙する。
【００５４】
〔実施態様１〕  無線通信ネットワーク毎に設定されるシステム識別符号を用いて、通信端末装置と共に独立した無線通信ネットワークを構成する無線通信基地局であって、自基地局が統括する無線通信ネットワークに設定されているシステム識別符号を含んだ報知信号を発信する報知信号発信手段と、他基地局からシステム識別符号が含まれた報知信号を受信する報知信号受信手段と、自基地局が今後利用予定のシステム識別符号を生成する識別符号生成手段と、前記報知信号受信手段により受信された報知信号中のシステム識別符号と前記識別符号生成手段により生成されたシステム識別符号との一致を判別する一致判別手段と、前記一致判別手段により一致が判別されない場合は、前記識別符号生成手段により生成されたシステム識別符号を、自基地局が統括する無線通信ネットワークを識別するためのシステム識別符号として設定する識別符号設定手段とを有し、前記一致判別手段により一致が判別された場合は、前記識別符号生成手段は、前記今後利用予定のシステム識別符号として、既に生成したシステム識別符号とは異なるシステム識別符号を新たに生成することを特徴とする無線通信基地局。
【００５５】
〔実施態様２〕  前記一致判別手段により一致が判別されない場合に、前記無線通信基地局が、自己が利用可能なチャネルにおいて、前記利用予定の前記システム識別符号をセットした前記要求信号を送信し、当該信号の応答信号である前記システム情報報知信号の有無を確認すると共に、周辺で使用中の前記システム識別符号との一致を認識する手段と、前記一致判別手段により一致が判別されない場合は、前記識別符号生成手段により生成されたシステム識別符号を、自基地局が統括する無線通信ネットワークを識別するためのシステム識別符号として設定する識別符号設定手段とを有し、前記一致判別手段により一致が判別された場合は、前記識別符号生成手段は、前記今後利用予定のシステム識別符号として、既に生成したシステム識別符号とは異なるシステム識別符号を新たに生成することを特徴とする実施態様１記載の無線通信基地局。
【００５６】
〔実施態様３〕  前記識別符号生成手段がシステム識別符号を生成するタイミングが、前記無線基地局の起動処理時であり、設定する前記利用予定システム識別符号が前記無線通信基地局で所定のアルゴリズムに従って自動生成されることを特徴とする実施態様１または２記載の無線通信基地局。
〔実施態様４〕  前記所定のアルゴリズムには、前記システム識別符号を設定する処理を再度行う必要が生じた際、前回生成したシステム識別符号とは異なる値を生成するアルゴリズムが含まれることを特徴とする実施態様３記載の無線通信基地局。
【００５７】
〔実施態様５〕  前記識別符号生成手段がシステム識別符号を生成するタイミングが、前記無線基地局に対する、システム識別符号変更操作実行時であることを特徴とする実施態様１または２記載の無線通信基地局。
【００５８】
〔実施態様６〕  利用する無線通信媒体が、ＩＥＥＥ８０２．１１系の無線ＬＡＮシステムであり、システム識別符号がＳＳＩＤであることを特徴とする実施態様１〜５のいずれかに記載の無線通信基地局。
【００５９】
〔実施態様７〕  無線通信ネットワーク毎に設定されるシステム識別符号を用いて、通信端末装置と共に独立した無線通信ネットワークを構成する無線通信基地局であって、自基地局が統括する無線通信ネットワークに設定されているシステム識別符号を含んだ報知信号を発信する報知信号発信手段と、他基地局からシステム識別符号が含まれた報知信号を受信する報知信号受信手段と、自基地局が今後利用予定のシステム識別符号を生成する識別符号生成手段と、前記報知信号受信手段により受信された報知信号中のシステム識別符号と前記識別符号生成手段により生成されたシステム識別符号との一致を判別する第１一致判別手段と、前記第１一致判別手段により一致が判別されない場合は、応答信号を要求する要求信号を送信する要求信号送信手段と、前記要求信号送信手段により送信された要求信号に応答して、同一のシステム識別符号が設定されている通信端末装置から返信される、該システム識別符号を含んだ応答信号を受信する応答信号受信手段と、前記応答信号受信手段により受信された応答信号中のシステム識別符号と前記識別符号生成手段により生成されたシステム識別符号との一致を判別する第２一致判別手段と、前記第２一致判別手段により一致が判別されない場合は、前記識別符号生成手段により生成されたシステム識別符号を、自基地局が統括する無線通信ネットワークを識別するためのシステム識別符号として設定する識別符号設定手段とを有し、前記第１一致判別手段または第２一致判別手段の少なくとも一方により一致が判別された場合は、前記識別符号生成手段は、前記今後利用予定のシステム識別符号として、既に生成したシステム識別符号とは異なるシステム識別符号を新たに生成することを特徴とする無線通信基地局。この構成によれば、他の無線通信基地局の通信セル外に存在する無線通信基地局においても、通信セルがオーバーラップした無線通信ネットワーク間の相互独立性を容易に確保することができる。
【００６０】
〔実施態様８〕  前記要求信号送信手段は、自基地局が利用可能なチャンネルのすべてについて前記要求信号を送信することを特徴とする実施態様７記載の無線通信基地局。
【００６１】
〔実施態様９〕  前記報知信号受信手段は、自基地局が利用可能なチャンネルのすべてについて前記報知信号を受信することを特徴とする実施態様７または８記載の無線通信基地局。
【００６２】
〔実施態様１０〕  前記識別符号生成手段は、システム識別符号の最初の生成を、自基地局の起動時及びシステム識別符号の変更操作時の少なくとも一方の時に行うことを特徴とする実施態様１、７〜９のいずれかに記載の無線通信基地局。
【００６３】
〔実施態様１１〕  前記識別符号生成手段は、所定のアルゴリズムによりシステム識別符号を自動的に生成することを特徴とする実施態様７〜１０のいずれかに記載の無線通信基地局。
【００６４】
〔実施態様１２〕  前記識別符号生成手段は、ユーザによりシステム識別符号を手動で設定するものであり、前記一致判別手段または前記第１一致判別手段により一致が判別された場合は、所定の警告表示を行うことで、前記ユーザに、既に生成したシステム識別符号と重複した生成を回避させることを特徴とする実施態様７〜１１のいずれかに記載の無線通信基地局。
【００６５】
〔実施態様１３〕  前記無線通信ネットワークは、無線規格ＩＥＥＥ８０２．１１に従って構築され、前記システム識別符号はＳＳＩＤであることを特徴とする実施態様１、７〜１２のいずれかに記載の無線通信基地局。
【００６６】
〔実施態様１４〕  無線通信ネットワーク毎に設定されるシステム識別符号を用いて、通信端末装置と共に独立した無線通信ネットワークを構成する無線通信基地局を制御する無線通信基地局の制御方法であって、自基地局が統括する無線通信ネットワークに設定されているシステム識別符号を含んだ報知信号を発信する報知信号発信ステップと、他基地局からシステム識別符号が含まれた報知信号を受信する報知信号受信ステップと、自基地局が今後利用予定のシステム識別符号を生成する識別符号生成ステップと、前記報知信号受信ステップにより受信された報知信号中のシステム識別符号と前記識別符号生成ステップにより生成されたシステム識別符号との一致を判別する一致判別ステップと、前記一致判別ステップにより一致が判別されない場合は、前記識別符号生成ステップにより生成されたシステム識別符号を、自基地局が統括する無線通信ネットワークを識別するためのシステム識別符号として設定する識別符号設定ステップとを有し、前記一致判別ステップにより一致が判別された場合は、前記識別符号生成ステップは、前記今後利用予定のシステム識別符号として、既に生成したシステム識別符号とは異なるシステム識別符号を新たに生成することを特徴とする無線通信基地局の制御方法。
【００６７】
〔実施態様１５〕  無線通信ネットワーク毎に設定されるシステム識別符号を用いて、通信端末装置と共に独立した無線通信ネットワークを構成する無線通信基地局を制御する無線通信基地局の制御方法であって、自基地局が統括する無線通信ネットワークに設定されているシステム識別符号を含んだ報知信号を発信する報知信号発信ステップと、他基地局からシステム識別符号が含まれた報知信号を受信する報知信号受信ステップと、自基地局が今後利用予定のシステム識別符号を生成する識別符号生成ステップと、前記報知信号受信ステップにより受信された報知信号中のシステム識別符号と前記識別符号生成ステップにより生成されたシステム識別符号との一致を判別する第１一致判別ステップと、前記第１一致判別ステップにより一致が判別されない場合は、応答信号を要求する要求信号を送信する要求信号送信ステップと、前記要求信号送信ステップにより送信された要求信号に応答して、同一のシステム識別符号が設定されている通信端末装置から返信される、該システム識別符号を含んだ応答信号を受信する応答信号受信ステップと、前記応答信号受信ステップにより受信された応答信号中のシステム識別符号と前記識別符号生成ステップにより生成されたシステム識別符号との一致を判別する第２一致判別ステップと、前記第２一致判別ステップにより一致が判別されない場合は、前記識別符号生成ステップにより生成されたシステム識別符号を、自基地局が統括する無線通信ネットワークを識別するためのシステム識別符号として設定する識別符号設定ステップとを有し、前記第１一致判別ステップまたは第２一致判別ステップの少なくとも一方により一致が判別された場合は、前記識別符号生成ステップは、前記今後利用予定のシステム識別符号として、既に生成したシステム識別符号とは異なるシステム識別符号を新たに生成することを特徴とする無線通信基地局の制御方法。
【００６８】
〔実施態様１６〕  無線通信ネットワーク毎に設定されるシステム識別符号を用いて、通信端末装置と共に独立した無線通信ネットワークを構成する無線通信基地局を制御する無線通信基地局の制御プログラムであって、自基地局が統括する無線通信ネットワークに設定されているシステム識別符号を含んだ報知信号を発信する報知信号発信ステップと、他基地局からシステム識別符号が含まれた報知信号を受信する報知信号受信ステップと、自基地局が今後利用予定のシステム識別符号を生成する識別符号生成ステップと、前記報知信号受信ステップにより受信された報知信号中のシステム識別符号と前記識別符号生成ステップにより生成されたシステム識別符号との一致を判別する一致判別ステップと、前記一致判別ステップにより一致が判別されない場合は、前記識別符号生成ステップにより生成されたシステム識別符号を、自基地局が統括する無線通信ネットワークを識別するためのシステム識別符号として設定する識別符号設定ステップとをコンピュータに実行させるためのプログラムであり、前記一致判別ステップにより一致が判別された場合は、前記識別符号生成ステップは、前記今後利用予定のシステム識別符号として、既に生成したシステム識別符号とは異なるシステム識別符号を新たに生成することを特徴とする無線通信基地局の制御プログラム。
【００６９】
〔実施態様１７〕  無線通信ネットワーク毎に設定されるシステム識別符号を用いて、通信端末装置と共に独立した無線通信ネットワークを構成する無線通信基地局を制御する無線通信基地局の制御プログラムであって、自基地局が統括する無線通信ネットワークに設定されているシステム識別符号を含んだ報知信号を発信する報知信号発信ステップと、他基地局からシステム識別符号が含まれた報知信号を受信する報知信号受信ステップと、自基地局が今後利用予定のシステム識別符号を生成する識別符号生成ステップと、前記報知信号受信ステップにより受信された報知信号中のシステム識別符号と前記識別符号生成ステップにより生成されたシステム識別符号との一致を判別する第１一致判別ステップと、前記第１一致判別ステップにより一致が判別されない場合は、応答信号を要求する要求信号を送信する要求信号送信ステップと、前記要求信号送信ステップにより送信された要求信号に応答して、同一のシステム識別符号が設定されている通信端末装置から返信される、該システム識別符号を含んだ応答信号を受信する応答信号受信ステップと、前記応答信号受信ステップにより受信された応答信号中のシステム識別符号と前記識別符号生成ステップにより生成されたシステム識別符号との一致を判別する第２一致判別ステップと、前記第２一致判別ステップにより一致が判別されない場合は、前記識別符号生成ステップにより生成されたシステム識別符号を、自基地局が統括する無線通信ネットワークを識別するためのシステム識別符号として設定する識別符号設定ステップとをコンピュータに実行させるためのプログラムであり、前記第１一致判別ステップまたは第２一致判別ステップの少なくとも一方により一致が判別された場合は、前記識別符号生成ステップは、前記今後利用予定のシステム識別符号として、既に生成したシステム識別符号とは異なるシステム識別符号を新たに生成することを特徴とする無線通信基地局の制御プログラム。
【００７０】
〔実施態様１８〕  無線通信ネットワーク毎に設定されるシステム識別符号を用いて、通信端末装置と共に独立した無線通信ネットワークを構成する無線通信基地局を制御する無線通信基地局の制御プログラムを記憶したコンピュータ読み取り可能な記憶媒体であって、自基地局が統括する無線通信ネットワークに設定されているシステム識別符号を含んだ報知信号を発信する報知信号発信ステップと、他基地局からシステム識別符号が含まれた報知信号を受信する報知信号受信ステップと、自基地局が今後利用予定のシステム識別符号を生成する識別符号生成ステップと、前記報知信号受信ステップにより受信された報知信号中のシステム識別符号と前記識別符号生成ステップにより生成されたシステム識別符号との一致を判別する一致判別ステップと、前記一致判別ステップにより一致が判別されない場合は、前記識別符号生成ステップにより生成されたシステム識別符号を、自基地局が統括する無線通信ネットワークを識別するためのシステム識別符号として設定する識別符号設定ステップとをコンピュータに実行させるためのプログラムを記憶し、前記一致判別ステップにより一致が判別された場合は、前記識別符号生成ステップは、前記今後利用予定のシステム識別符号として、既に生成したシステム識別符号とは異なるシステム識別符号を新たに生成することを特徴とする記憶媒体。
【００７１】
〔実施態様１９〕  無線通信ネットワーク毎に設定されるシステム識別符号を用いて、通信端末装置と共に独立した無線通信ネットワークを構成する無線通信基地局を制御する無線通信基地局の制御プログラムを記憶したコンピュータ読み取り可能な記憶媒体であって、自基地局が統括する無線通信ネットワークに設定されているシステム識別符号を含んだ報知信号を発信する報知信号発信ステップと、他基地局からシステム識別符号が含まれた報知信号を受信する報知信号受信ステップと、自基地局が今後利用予定のシステム識別符号を生成する識別符号生成ステップと、前記報知信号受信ステップにより受信された報知信号中のシステム識別符号と前記識別符号生成ステップにより生成されたシステム識別符号との一致を判別する第１一致判別ステップと、前記第１一致判別ステップにより一致が判別されない場合は、応答信号を要求する要求信号を送信する要求信号送信ステップと、前記要求信号送信ステップにより送信された要求信号に応答して、同一のシステム識別符号が設定されている通信端末装置から返信される、該システム識別符号を含んだ応答信号を受信する応答信号受信ステップと、前記応答信号受信ステップにより受信された応答信号中のシステム識別符号と前記識別符号生成ステップにより生成されたシステム識別符号との一致を判別する第２一致判別ステップと、前記第２一致判別ステップにより一致が判別されない場合は、前記識別符号生成ステップにより生成されたシステム識別符号を、自基地局が統括する無線通信ネットワークを識別するためのシステム識別符号として設定する識別符号設定ステップとをコンピュータに実行させるためのプログラムを記憶し、前記第１一致判別ステップまたは第２一致判別ステップの少なくとも一方により一致が判別された場合は、前記識別符号生成ステップは、前記今後利用予定のシステム識別符号として、既に生成したシステム識別符号とは異なるシステム識別符号を新たに生成することを特徴とする記憶媒体。
【００７２】
〔実施態様２０〕  無線通信ネットワーク毎に設定されるシステム識別符号を用いて、通信端末装置と共に独立した無線通信ネットワークを構成する無線通信基地局であって、他基地局からシステム識別符号が含まれた報知信号を受信する報知信号受信手段と、前記報知信号受信手段により受信された報知信号中のシステム識別符号に基づいて、自基地局が統括する無線通信ネットワークを識別するためのシステム識別符号を設定する設定手段とを有することを特徴とする無線通信基地局。
【００７３】
【発明の効果】
以上説明したように、本発明によれば、通信セルがオーバーラップした無線通信ネットワーク間の相互独立性を容易に確保することができる。
【図面の簡単な説明】
【図１】本発明の第１の実施の形態に係る無線通信基地局を含んで構築される無線通信ネットワークの全体構成を示す図である。
【図２】多機能アクセスポイントの機能構成を示すブロック図である。
【図３】多機能アクセスポイントによるパッシブスキャンによるＳＳＩＤ情報入手処理の概念図である。
【図４】多機能アクセスポイントにより実行されるパッシブスキャンによるＳＳＩＤ情報入手処理のフローチャートを示す図である。
【図５】本発明の第２の実施の形態に係る無線通信基地局を含んで構築される無線通信ネットワークの全体構成を示す図である。
【図６】多機能アクセスポイントによるアクティブスキャンによるＳＳＩＤ情報入手処理の概念図である。
【図７】多機能アクセスポイントにより実行されるＳＳＩＤ情報入手処理のフローチャートを示す図である。
【符号の説明】
２０（１）〜２０（ｎ）  無線ＬＡＮユニット（報知信号発信手段、報知信号受信手段、要求信号送信手段、応答信号受信手段）
２１３  ＣＰＵ（識別符号生成手段、一致判別手段、第１一致判別手段、識別符号設定手段、第２一致判別手段）
２２１  無線ＬＡＮユニット（報知信号発信手段、報知信号受信手段、要求信号送信手段、応答信号受信手段）
２２２  有線ＬＡＮユニット
ＭＦ＿ＡＰ１、ＭＦ＿ＡＰ２  多機能アクセスポイント（無線通信基地局）
ＳＴＡ１  無線ＬＡＮステーション（通信端末装置）
ＷＤＳ＿ＡＰ  アクセスポイント
【図１】
2004193746.tif 000003
【図２】
2004193746.tif 000004
【図３】
2004193746.tif 000005
【図４】
2004193746.tif 000006
【図５】
2004193746.tif 000007
【図６】
2004193746.tif 000008
【図７】
2004193746.tif 000009